(57)【要約】【課題】車種ごとに調整されたサウンドパラメータを設定した場合でも意図通りにならない音質の調整を、専門的な音響知識を持たないユーザであっても容易に行えるようにした「音質調整装置および音質調整方法」を提供する。【解決手段】可聴周波数域を分割した複数の周波数帯域のそれぞれで調整される音質のイメージを表した言語を表示して音質調整のための操作を受け付ける調整操作受付部５と、操作を受け付けたユーザ所望の周波数帯域に関するサウンドパラメータを補正するパラメータ補正部６とを備え、車種ごとに調整されたサウンドパラメータを取得して設定した場合でも、車内環境の違いなどによって音質が意図通りにならない場合に、ユーザが所望の言語を選択して音質調整のための操作を行えるようにすることにより、専門的な音響知識を持たないユーザでもサウンドパラメータを容易に微調整できるようにする。【選択図】図１
2014011764.tif 000002
【特許請求の範囲】
【請求項１】
車種ごとに調整されたサウンドパラメータを取得して設定するパラメータ設定部と、
可聴周波数域を分割した複数の周波数帯域と、各周波数帯域で調整される音質のイメージを表した言語とを関連付けて、当該関連付けを調整モデルとして記憶する調整モデル記憶部と、
上記調整モデル記憶部に記憶されている各周波数帯域に対応する言語を表示して音質調整のための操作を受け付ける調整操作受付部と、
上記調整操作受付部により、ユーザ所望の周波数帯域に関する音質調整のための操作を受け付けた場合、上記パラメータ設定部により設定されたサウンドパラメータのうち、上記ユーザ所望の周波数帯域に関するサウンドパラメータを補正するパラメータ補正部とを備えたことを特徴とする音質調整装置。
【請求項２】
上記調整操作受付部は、上記調整モデル記憶部に上記調整モデルとして記憶されている上記複数の周波数帯域のうち、上記パラメータ設定部により上記サウンドパラメータが設定された周波数帯域に対応する言語だけを表示して音質調整のための操作を受け付けることを特徴とする請求項１に記載の音質調整装置。
【請求項３】
上記パラメータ補正部は、中心周波数、Ｑ値、音量の少なくとも１つのパラメータを補正することを特徴とする請求項１または２に記載の音質調整装置。
【請求項４】
音質調整装置のパラメータ設定部が、車種ごとに調整されたサウンドパラメータを取得して設定する第１のステップと、
上記音質調整装置の調整操作受付部が、可聴周波数域を分割した複数の周波数帯域と、各周波数帯域で調整される音質のイメージを表した言語とを関連付けて記憶した調整モデルを参照して、当該調整モデルの各周波数帯域に対応する言語を表示して音質調整のための操作を受け付ける第２のステップと、
上記第２のステップにおいて、ユーザ所望の周波数帯域に関する音質調整のための操作を受け付けた場合、上記音質調整装置のパラメータ補正部が、上記第１のステップで設定されたサウンドパラメータのうち、上記ユーザ所望の周波数帯域に関するサウンドパラメータを補正する第３のステップとを有することを特徴とする音質調整方法。
【発明の詳細な説明】
【技術分野】
【０００１】
本発明は、音質調整装置および音質調整方法に関し、特に、音声信号の周波数特性を変更することによって音質を調整する音質調整装置に関するものである。
【背景技術】
【０００２】
従来、イコライザと呼ばれる音質調整装置を備えた音響機器が広く提供されている。イコライザは、音声信号の周波数特性を変更することによって音質を調整するものであり、パラメトリックイコライザとグラフィックイコライザとの２種類がある。パラメトリックイコライザでは、中心周波数、周波数帯域幅（カーブの急峻さを表すＱ値）、音量などの複数項目にわたってきめ細かく音質を調整することが可能である。
【０００３】
通常、イコライザは、調整可能な複数の周波数帯域にそれぞれ対応して回転式あるいはスライド式の操作子を備えている。ユーザは、所望の周波数帯域の操作子を手動で操作することによって音質の調整を行う。しかし、専門的な音響知識を有していないと、どの周波数帯域をどのように調整すればどのように音質が変わるのかが分からないため、一般のユーザには音質を希望通りに調整することが難しいという問題があった。そのため、通常はメーカ推奨のプリセットをいくつか用意しておき、ユーザがこのうち１つを選択するというのが一般的であった。
【０００４】
なお、物理量（音響機器の周波数特性）と心理量（ユーザの感じる音質を心理的言語で表現したもの）との定量的対応モデルに基づいて音質を調整することにより、例えば「艶のある音」、「迫力のある音」などとユーザが指示するだけで、その心理的な表現に合わせて周波数特性が自動調整されるようにした発明が提案されている（例えば、特許文献１，２参照）。
【先行技術文献】
【特許文献】
【０００５】
【特許文献１】特開平８−２９８４１８号公報
【特許文献２】特開平９−５１２３９号公報
【発明の概要】
【発明が解決しようとする課題】
【０００６】
車載用の音響機器において今後見込まれるサービスとして、車種ごとにベストコンディションに調整したサウンドパラメータをインターネット経由で配信し、当該サウンドパラメータをイコライザに自動設定することが検討されている。
【０００７】
しかしながら、突き詰めると、同じ車種であっても、車両のシートや内装材などの素材、使用するスピーカの種類などによって室内音響が変わる。そのため、車種ごとにベストコンディションに調整されたサウンドパラメータであっても、実際の車両でそれを使用すると、意図通りでない音質になってしまう可能性がある。その音質の微妙なギャップを一般ユーザがイコライザの手動操作で補正することは不可能に近い。
【０００８】
本発明は、このような問題を解決するために成されたものであり、車種ごとに調整されたサウンドパラメータをイコライザに設定した場合でも意図通りにならない音質の調整を、専門的な音響知識を持たないユーザであっても容易に行えるようにすることを目的とする。
【課題を解決するための手段】
【０００９】
上記した課題を解決するために、本発明では、車種ごとに調整されたサウンドパラメータを取得して設定した後、可聴周波数域を分割した複数の周波数帯域で音量を増減させたときにユーザの感じる音質がどのように変化するかを表した心理的言語を表示して音質調整のための操作を受け付け、上記設定されたサウンドパラメータのうち、操作を受け付けたユーザ所望の周波数帯域に関するサウンドパラメータを補正するようにしている。
【発明の効果】
【００１０】
上記のように構成した本発明によれば、車種ごとに調整されたサウンドパラメータを設定した場合でも、車両のシートや内装材などの素材、使用するスピーカの種類などによって音質が意図通りにならない場合には、どのように音質を調整したいかというユーザの心理に合わせて、表示された心理的言語の中から所望の心理的言語を選択して音質調整のための操作を行うことにより、その心理的言語に関連付けられた周波数帯域に関するサウンドパラメータを補正することができる。これにより、車種ごとに調整されたサウンドパラメータをイコライザに設定した場合でも意図通りにならない音質の調整を、専門的な音響知識を持たないユーザであっても容易に行うことができる。
【図面の簡単な説明】
【００１１】
【図１】本実施形態による音質調整装置の機能構成例を示すブロック図である。
【図２】本実施形態のパラメータ設定部がサーバから取得するサウンドパラメータの一例を示すイメージ図である。
【図３】本実施形態の調整モデル記憶部に記憶される調整モデルの一例を示す図である。
【図４】本実施形態の調整操作受付部によって表示される調整操作受付画面の一例を示す図である。
【図５】本実施形態のパラメータ補正部によって行われるパラメータ補正の一例を示す図である。
【図６】本実施形態による音質調整装置の動作例を示すフローチャートである。
【図７】本実施形態によるパラメータ補正の変形例を示す図である。
【図８】本実施形態によるパラメータ補正の変形例を示す図である。
【図９】本実施形態によるパラメータ補正の変形例を示す図である。
【発明を実施するための形態】
【００１２】
以下、本発明の一実施形態を図面に基づいて説明する。図１は、本実施形態による音質調整装置の機能構成例を示すブロック図である。本実施形態では、音質調整装置の一例として、パラメトリックイコライザ１０（以下、単にイコライザ１０という）を用いる。また、本実施形態のイコライザ１０は、車載用の音響機器に搭載されるものとする。
【００１３】
図１に示すように、本実施形態のイコライザ１０は、その機能構成として、パラメータ設定部１、パラメータ記憶部２、音質調整部３、調整モデル記憶部４、調整操作受付部５およびパラメータ補正部６を備えて構成されている。なお、パラメータ設定部１、音質調整部３、調整操作受付部５およびパラメータ補正部６の機能は、実際にはコンピュータのＣＰＵあるいはＭＰＵ、ＲＡＭ、ＲＯＭなどを備えて構成され、ＲＡＭやＲＯＭに記憶されたプログラムが動作することによって実現できる。
【００１４】
パラメータ設定部１は、車種ごとに調整されたサウンドパラメータを外部から取得して設定する。本実施形態では、パラメータ設定部１は、インターネット２００を介してサーバ１００からサウンドパラメータを取得する。ここで取得するサウンドパラメータは、特定周波数における音声信号の周波数特性を調整するためのパラメータであり、具体的には、中心周波数、Ｑ値、音量などに関する調整値である。
【００１５】
車種別のサウンドパラメータは、音響の専門知識を有する者が、車種特有の特徴（標準仕様装備となるスピーカの大小、内装の素材など）を想定して、より「いい音」（重低音、音声が聞き取りやすいなど）に聞こえるように値を調整したものである。図２は、パラメータ設定部１がサーバ１００から取得するサウンドパラメータの一例を示すイメージ図である。本実施形態では、サウンドパラメータの設定によって、５つの帯域について周波数特性を調整することができるように成されているものとする。
【００１６】
パラメータ記憶部２は、パラメータ設定部１により設定されたサウンドパラメータを記憶する。音質調整部３は、パラメータ記憶部２に記憶されたサウンドパラメータに従って、入力される音声信号の周波数特性を調整して出力する。
【００１７】
調整モデル記憶部４は、可聴周波数域が含まれる０〜２０ＫＨｚを所定周波数ずつに分割した複数の周波数帯域と、各周波数帯域で調整される音質のイメージを表した言語とを関連付けて、当該関連付けを調整モデルとして記憶する。図３は、当該調整モデルの一例を示す図である。なお、後の説明の便宜上、図３には、パラメータ設定部１により設定されたサウンドパラメータのイメージも併せて図示している。
【００１８】
図３の例では、０〜２０ＫＨｚの周波数域を１０個の周波数帯域に分割している（以下、１０個の周波数帯域のそれぞれを「分割帯域」と称する）。そして、それぞれの分割帯域毎に、音量を増減させたときにユーザの感じる音質がどのように変化するかをマイナスイメージの心理的言語で定義している。例えば、最も周波数が低い分割帯域では、音量を上げると「圧迫感がある」、音量を下げると「腹に響かない」という心理的言語を関連付けて定義している。
【００１９】
調整操作受付部５は、調整モデル記憶部４に記憶されている各分割帯域に対応する心理的言語をディスプレイ（図示せず）に表示して、音質調整のための操作を受け付ける。ここで、調整操作受付部５は、調整モデル記憶部４に調整モデルとして記憶されている１０個の分割帯域のうち、パラメータ設定部１によりサウンドパラメータが設定された分割帯域に対応する心理的言語だけをディスプレイに表示して音質調整のための操作を受け付けるのが好ましい。
【００２０】
なお、サウンドパラメータが設定された分割帯域とは、当該サウンドパラメータによって調整される周波数帯域の中心周波数が属する分割帯域であるとする。図３の例では、低い周波数から数えて２つ目、３つ目、５つ目、８つ目、９つ目の分割帯域が、サウンドパラメータが設定された分割帯域である。調整操作受付部５は、この５つの分割帯域に関連付けられた心理的言語をディスプレイに表示して音質調整のための操作を受け付ける。
【００２１】
図４は、ディスプレイに表示される調整操作受付画面の一例を示す図である。図４に示す例では、１画面に１つの分割帯域における心理的言語（音量を上げた場合の音質のマイナスイメージを表す心理的言語、音量を下げた場合の音質のマイナスイメージを表す心理的言語の両方）と、音質が丁度よいことを表す心理的言語とをタッチ操作可能なユーザインタフェース（操作ボタン）として表示している。何れかの操作ボタンをタッチすると、次の分割帯域に関する調整操作受付画面に遷移する。
【００２２】
パラメータ補正部６は、調整操作受付部５により、ユーザ所望の分割帯域に関する音質調整のための操作を受け付けた場合、パラメータ設定部１によりパラメータ記憶部２に設定されたサウンドパラメータのうち、ユーザ所望の分割帯域に関するサウンドパラメータを補正し、パラメータ記憶部２の記憶内容を更新する。ここで、ユーザ所望の分割帯域に関するサウンドパラメータとは、当該分割帯域内に中心周波数が存在する周波数帯域の周波数特性を調整するためのサウンドパラメータのことを言う。
【００２３】
例えば、パラメータ補正部６は、指定された分割帯域に関するサウンドパラメータについて、音量（ｄＢ）を増減させる補正を行う。ここで、調整操作受付部５により表示された調整操作受付画面において、音量を上げた場合の音質イメージを表す心理的言語の操作ボタンがタッチされた場合、パラメータ補正部６は、音量を所定量だけ下げるようにサウンドパラメータの補正を行う。一方、音量を下げた場合の音質イメージを表す心理的言語の操作ボタンがタッチされた場合、パラメータ補正部６は、音量を所定量だけ上げるようにサウンドパラメータの補正を行う。
【００２４】
図５は、パラメータ補正部６によって行われるパラメータ補正の一例を示す図である。図５に示すように、低い周波数から数えて２つ目の分割帯域に関する調整操作受付画面において、「音が重過ぎ」の操作ボタンがタッチされた場合、パラメータ補正部６は、音量を所定量だけ下げるようにサウンドパラメータを補正する。一方、「音に重さがない」の操作ボタンがタッチされた場合、パラメータ補正部６は、音量を所定量だけ上げるようにサウンドパラメータを補正する。
【００２５】
次に、上記のように構成した本実施形態によるイコライザ１０の動作を説明する。図６は、本実施形態によるイコライザ１０の動作例を示すフローチャートである。なお、図６に示すフローチャートは、イコライザ１０を搭載した音響機器の電源がオンとされたときに開始する。
【００２６】
まず、パラメータ設定部１は、車種ごとに調整されたサウンドパラメータをサーバ１００から取得してパラメータ記憶部２に設定する（ステップＳ１）。サウンドパラメータを設定したら、ユーザ操作に応じて、音響機器によって音声の再生処理（例えば、ＤＶＤ（Digital Versatile Disk）の再生等）を実行する（ステップＳ２）。これによりユーザは、設定されたサウンドパラメータによる調整通りで満足のいく音質になっているかどうかを確認する。
【００２７】
満足のいく音質になっておらず、ユーザが音質を微調整したいと考えた場合、ユーザは調整操作受付画面を表示させるための操作を行う。このユーザ操作に応じて、調整操作受付部５は、調整モデル記憶部４に記憶されている調整モデルを参照して、当該調整モデルの各分割帯域のうち、パラメータ記憶部２に記憶されているサウンドパラメータが属する分割帯域に対応する心理的言語を用いた調整操作受付画面をディスプレイに表示する（ステップＳ３）。まずは、最も周波数が低い方から数えて１つ目の分割帯域に関する調整操作受付画面を表示する。
【００２８】
ここで、調整操作受付部５は、音質調整のための操作（音量を上げた場合の音質イメージを表す心理的言語の操作ボタン、あるいは、音量を下げた場合の音質イメージを表す心理的言語の操作ボタンのタッチ操作）を受け付けたか否かを判定する（ステップＳ４）。当該操作を受け付けたと調整操作受付部５にて判定した場合、パラメータ補正部６は、その操作の内容に応じて、調整操作受付画面に表示中の分割帯域に該当するサウンドパラメータについて、音量を増加あるいは減少させるように補正する（ステップＳ５）。
【００２９】
ある分割帯域に関するサウンドパラメータの補正後、調整操作受付部５は、調整可能な５つの分割帯域のうち、未調整の分割帯域が残っているか否かを判定する（ステップＳ６）。未調整の分割帯域が残っている場合、処理はステップＳ３に戻り、調整操作受付部５は次の分割帯域に関する調整操作受付画面を表示する。なお、上記ステップＳ４において、音質調整のための操作を受け付けていない、つまり「丁度よい」という操作ボタンのタッチ操作を受け付けたと調整操作受付部５にて判定した場合、処理はステップＳ６に遷移する。
【００３０】
ステップＳ６において、未調整の分割帯域が残っていない、つまり５つの分割帯域に関する調整操作受付画面を全て表示し終えたと調整操作受付部５にて判定した場合、調整操作受付部５は、サウンドパラメータの微調整を終了させるための操作を受け付けたか否かを判定する（ステップＳ７）。
【００３１】
ここで、微調整を終了させるための操作を受け付けていない場合、処理はステップＳ３に戻り、調整操作受付部５は最も周波数が低い方から数えて１つ目の分割帯域に関する調整操作受付画面を再表示する。以降、上記と同様の処理を繰り返すことにより、所望の分割帯域におけるサウンドパラメータの音量を所定量ずつ増減させていくことができる。一方、微調整を終了させるための操作を受け付けた場合、図６に示すフローチャートの処理を終了する。
【００３２】
以上詳しく説明したように、本実施形態では、車種ごとに調整されたサウンドパラメータをパラメータ設定部１がサーバ１００から取得してパラメータ記憶部２に設定した後、各分割帯域で音量を増減させたときにユーザの感じる音質がどのように変化するかを表した心理的言語を表示して音質調整のための操作を調整操作受付部５にて受け付ける。そして、パラメータ記憶部２に設定されたサウンドパラメータのうち、操作を受け付けたユーザ所望の分割帯域に関するサウンドパラメータを補正するようにしている。
【００３３】
車種ごとに調整されたサウンドパラメータをサーバ１００から取得して設定した場合でも、そのサウンドパラメータを生成する際に想定された車両と、サウンドパラメータを設定した実際の車両とで、シートや内装材などの素材、使用するスピーカの種類などが異なるため、音質がユーザの意図通りになっていない場合がある。
【００３４】
これに対して、上記のように構成した本実施形態のイコライザ１０によれば、どのように音質を調整したいかというユーザの心理に合わせて、調整操作受付画面に表示された心理的言語の中から所望の心理的言語を選択して音質調整のための操作を行うことにより、その心理的言語に関連付けられた分割帯域に関するサウンドパラメータを補正することができる。これにより、車種ごとに調整されたサウンドパラメータをイコライザ１０に設定した場合でも意図通りにならない音質の調整を、専門的な音響知識を持たないユーザであっても容易に行うことができる。
【００３５】
なお、上記実施形態では、パラメータ補正部６は、指定された分割帯域に関するサウンドパラメータについて、音量を増減させる補正を行う例について説明したが、本発明はこれに限定されない。すなわち、パラメトリックイコライザで調整可能なパラメータである中心周波数、Ｑ値、音量の少なくとも１つのパラメータを補正するようにすることが可能である。例えば、音量に加えて、中心周波数やＱ値を所定のルールに従って補正するようにしてもよい。
【００３６】
一例として、図７（ａ）のように音量のみを調整するのではなく、図７（ｂ）のように音量およびＱ値を調整するようにしてもよい。具体的には、音量を上げる場合は同時にＱ値を小さくすることにより、より量感が増した音質に調整することができる。逆に、音量を下げる場合は同時にＱ値を大きくすることにより、より量感を減らした音質に調整することができる。
【００３７】
また、他の例として、サウンドパラメータの設定された分割帯域にボーカル音声の周波数帯域が含まれていて、そのボーカル音声を強調するように調整する場合に、ボーカルの性別に合わせた方向に中心周波数をずらすようにしてもよい。通常、男性ボーカルの音声は中心周波数が５００Ｈｚ前後、女性ボーカルの音声は中心周波数が８００Ｈｚ前後にある。
【００３８】
そこで、図８（ａ）に示すように、サウンドパラメータの設定された分割帯域にボーカル音声の周波数帯域が含まれている場合、調整操作受付部５は、その分割帯域に関する調整操作受付画面において、「男性ボーカル強調」、「女性ボーカル強調」、「両方を強調」、「丁度よい」の操作ボタンを表示する。そして、図８（ｂ）に示すように、「男性ボーカル強調」が選択された場合は中心周波数を低くし、「女性ボーカル強調」が選択された場合は中心周波数を高くする。また、「両方を強調」が選択された場合は、Ｑ値を減少させて周波数帯域を広くし、かつピーク部の音量が大きくなり過ぎないように音量を小さくする。
【００３９】
さらに、別の例として、音割れやビビリ音が生じているか否かに応じて、音量とＱ値と中心周波数とを調整するようにしてもよい。例えば、軽自動車などは口径の小さいスピーカを用いていることがあり、低音を大きくし過ぎると音が割れたり、内装からビビリ音が出たりすることがある。
【００４０】
そこで、図９（ａ）に示すように、調整操作受付画面において、音割れやビビリ音が出ているか否かをユーザに問い合わせる。そして、音割れやビビリ音が出ていることを示す操作ボタンがタッチされた場合に、図９（ｂ）のように、音量とＱ値と中心周波数とを調整する。すなわち、スピーカに過度の負荷がかかったり内装と共振したりしないように、中心周波数を変更するとともに音量を小さくする。また、この対応により低音の存在感が多少失われるため、Ｑ値を減少させて帯域幅を広くすることにより量感を補うようにする。
【００４１】
また、上記実施形態では、１つの調整操作受付画面に１つの分割領域に関する操作ボタンを表示する例について説明したが、本発明はこれに限定されるものではない。例えば、５つの分割帯域に関する操作ボタンを全て１つの調整操作受付画面に一括表示させるようにしてもよい。
【００４２】
また、上記実施形態では、操作ボタンを１回タッチする度に所定量ずつサウンドパラメータの値を補正する例について説明したが、本発明はこれに限定されない。例えば、回転式あるいはスライド式の操作子を模したユーザインタフェースを心理的言語と共に調整操作受付画面に表示させ、ユーザが当該操作子を好みの量だけ操作することにより、サウンドパラメータの値を一度に所望の量だけ補正できるようにしてもよい。
【００４３】
また、上記実施形態では、最初にサウンドパラメータをパラメータ設定部１がサーバ１００から取得する例について説明したが、本発明はこれに限定されない。例えば、半導体メモリ等の記録媒体を介してサウンドパラメータを取得するようにしてもよい。
【００４４】
また、上記実施形態では、音質調整装置の一例としてパラメトリックイコライザを挙げて説明したが、本発明はこれに限定されない。例えば、グラフィックイコライザであってもよい。
【００４５】
また、上記実施形態では、車載用の音響機器に音質調整装置を適用する例について説明したが、本発明はこれに限定されない。すなわち、外部からサウンドパラメータを取得して設定した後、そのサウンドパラメータを微調整することが本発明の要旨であるので、そのような用途で使う音響機器であれば、車載用に限定されない。
【００４６】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００４７】
１  パラメータ設定部
２  パラメータ記憶部
３  音質調整部
４  調整モデル記憶部
５  調整操作受付部
６  パラメータ補正部
１０  音質調整装置（イコライザ）
【図１】
2014011764.tif 000003
【図２】
2014011764.tif 000004
【図３】
2014011764.tif 000005
【図４】
2014011764.tif 000006
【図５】
2014011764.tif 000007
【図６】
2014011764.tif 000008
【図７】
2014011764.tif 000009
【図８】
2014011764.tif 000010
【図９】
2014011764.tif 000011